【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
第１のフレームレートの第１の動画像データの各フレームの画像データにフレーム毎に独立しかつデータレベルに応じた混合割合で周辺フレームの画像データを混合する処理を施して第２の動画像データを得る処理部を備え、
上記第２の動画像データを構成する各フレームの画像データのうち少なくとも上記第１のフレームレートより低い第２のフレームレートに対応したフレームの画像データは周辺フレームの画像データと混合された状態とされ、
上記第２のフレームレートに対応したフレームの画像データを符号化して基本ストリームを得ると共に、残りのフレームの画像データを符号化して拡張ストリームを得る符号化部と、
上記基本ストリームおよび上記拡張ストリームを含むコンテナを送信する送信部をさらに備える
送信装置。
【請求項２】
ビデオのレイヤおよび/またはコンテナのレイヤに上記混合割合の情報および上記画像データのレンジ情報を挿入する挿入部をさらに備える
請求項１に記載の送信装置。
【請求項３】
上記基本ストリームおよび上記拡張ストリームはＮＡＬユニット構造を有し、
上記挿入部は、上記混合割合の情報および上記画像データのレンジ情報を持つＳＥＩ  ＮＡＬユニットを上記基本ストリームおよび/または上記拡張ストリームに挿入する
請求項２に記載の送信装置。
【請求項４】
上記処理部は、処理対象フレームの画像データに周辺フレームの画像データを混合する処理を施す際に、上記処理対象フレームの画像データのデータレベルに基づいて上記混合割合を決定する
請求項１から３のいずれかに記載の送信装置。
【請求項５】
上記処理部は、処理対象フレームの画像データに周辺フレームの画像データを混合する処理を施す際に、上記処理対象フレームおよび上記周辺フレームの画像データのデータレベルに基づいて上記混合割合を決定する
請求項１から３のいずれかに記載の送信装置。
【請求項６】
上記画像データのレンジ情報は、第１の閾値と該第１の閾値より低い第２の閾値の情報を含み、
上記第１の動画像データは、ハイダイナミックレンジの動画像データであり、
上記第１の閾値は、上記画像データのレベルがきらめき再現レベル範囲にあるか否かを判別するための閾値であり、
上記第２の閾値は、上記画像データのレベルが暗部再現レベル範囲にあるか否かを判別するための閾値である
請求項１から５のいずれかに記載の送信装置。
【請求項７】
上記第１のフレームレートは１２０Ｈｚまたは２４０Ｈｚであり、上記第２のフレームレートは６０Ｈｚである
請求項１から６のいずれかに記載の送信装置。
【請求項８】
処理部が、第１のフレームレートの第１の動画像データの各フレームの画像データにフレーム毎に独立しかつデータレベルに応じた混合割合で周辺フレームの画像データを混合する処理を施して第２の動画像データを得るステップを有し、
上記第２の動画像データを構成する各フレームの画像データのうち少なくとも上記第１のフレームレートより低い第２のフレームレートに対応したフレームの画像データは周辺フレームの画像データと混合された状態とされ、
符号化部が、上記第２のフレームレートに対応したフレームの画像データを符号化して基本ストリームを得ると共に、残りのフレームの画像データを符号化して拡張ストリームを得るステップと、
送信部が、上記基本ストリームおよび上記拡張ストリームを含むコンテナを送信するステップをさらに有する
送信方法。
【請求項９】
基本ストリームおよび拡張ストリームを含むコンテナを受信する受信部を備え、
上記基本ストリームは、第１のフレームレートの第１の動画像データの各フレームの画像データにフレーム毎に独立しかつデータレベルに応じた混合割合で周辺フレームの画像データを混合する処理を施して得られた第２の動画像データを構成する各画像データのうち上記第１のフレームレートより低い第２のフレームレートに対応したフレームの画像データであって少なくとも周辺フレームの画像データと混合された状態にある画像データを符号化して得られたものであり、上記拡張ストリームは、残りのフレームの画像データを符号化して得られたものであり、
表示能力に応じて、上記基本ストリームを復号化して上記第２のフレームレートの動画像データを得るか、あるいは上記基本ストリームおよび上記拡張フレームを復号化して上記第２の動画像データを得、該第２の動画像データに混合分離処理を施して混合解除された第１のフレームレートの動画像データを得る処理部をさらに備える
受信装置。
【請求項１０】
ビデオのレイヤまたはコンテナのレイヤに上記混合割合の情報および上記画像データのレンジ情報を挿入されており、
上記処理部は、上記混合割合の情報および上記画像データのレンジ情報に基づいて、上記第２の動画像データに混合分離処理を施して混合解除された第１のフレームレートの動画像データを得る
請求項９に記載の受信装置。
【請求項１１】
受信部が、基本ストリームおよび拡張ストリームを含むコンテナを受信するステップを有し、
上記基本ストリームは、第１のフレームレートの第１の動画像データの各フレームの画像データにフレーム毎に独立しかつデータレベルに応じた混合割合で周辺フレームの画像データを混合する処理を施して得られた第２の動画像データを構成する各画像データのうち上記第１のフレームレートより低い第２のフレームレートに対応したフレームの画像データであって少なくとも周辺フレームの画像データと混合された状態にある画像データを符号化して得られたものであり、上記拡張ストリームは、残りのフレームの画像データを符号化して得られたものであり、
処理部が、表示能力に応じて、上記基本ストリームを復号化して上記第２のフレームレートの動画像データを得るか、あるいは上記基本ストリームおよび上記拡張フレームを復号化して上記第２の動画像データを得、該第２の動画像データに混合分離処理を施して混合解除された第１のフレームレートの動画像データを得るステップをさらに有する
受信方法。
【請求項１２】
第１の動画像データの各フレームの画像データにフレーム毎に独立しかつデータレベルに応じた混合割合で周辺フレームの画像データを混合する処理を施して得られた第２の動画像データを取得する取得部と、
上記第２の動画像データと、上記混合割合の情報および上記画像データのレンジ情報を、伝送路を介して、外部機器に送信する送信部を備える
送信装置。
【請求項１３】
上記送信部は、上記混合割合の情報および上記画像データのレンジ情報を、それぞれ上記第２の動画像データの各フレームの画像データのブランキング期間に挿入して送信する
請求項１２に記載の送信装置。
【請求項１４】
上記第２の動画像データの各フレームの画像データに上記混合割合の情報および上記画像データのレンジ情報に基づいて混合分離処理を施して第３の動画像データを得る処理部をさらに備え、
上記送信部は、上記外部機器が上記混合分離処理の機能を持っていないとき、上記第２の動画像データの代わりに、上記第３の動画像データを送信する
請求項１２または１３に記載の送信装置。
【請求項１５】
上記第２の動画像データは第１のフレームレートの動画像データであり、
上記第２の動画像データを構成する各フレームの画像データのうち少なくとも上記第１のフレームレートより低い第２のフレームレートに対応したフレームの画像データは周辺フレームの画像データと混合された状態にあり、
上記送信部は、上記外部機器の表示可能なフレームレートが上記第２のフレームレートであるとき、上記第２の動画像データの代わりに、上記第２のフレームレートに対応したフレームの画像データからなる第４の動画像データを送信する
請求項１２から１４のいずれかに記載の送信装置。
【請求項１６】
取得部が、第１の動画像データの各フレームの画像データにフレーム毎に独立しかつデータレベルに応じた混合割合で周辺フレームの画像データを混合する処理を施して得られた第２の動画像データを取得するステップと、
送信部が、上記第２の動画像データと、上記各フレームの混合割合の情報および上記画像データのレンジ情報を、伝送路を介して、外部機器に送信するステップを有する
送信方法。
【請求項１７】
外部機器から、伝送路を介して、第１の動画像データの各フレームの画像データにフレーム毎に独立しかつデータレベルに応じた混合割合で周辺フレームの画像データを混合する処理を施して得られた第２の動画像データと、上記混合割合の情報および上記画像データのレンジ情報を受信する受信部と、
上記第２の動画像データの各フレームの画像データに上記混合割合の情報および上記画像データのレンジ情報に基づいて混合分離処理を施して混合解除された動画像データを得る処理部を備える
受信装置。
【請求項１８】
受信部が、外部機器から、伝送路を介して、第１の動画像データの各フレームの画像データにフレーム毎に独立しかつデータレベルに応じた混合割合で周辺フレームの画像データを混合する処理を施して得られた第２の動画像データと、上記混合割合の情報および上記画像データのレンジ情報を受信するステップと、
処理部が、上記第２の動画像データの各フレームの画像データに上記混合割合の情報および上記画像データのレンジ情報に基づいて混合分離処理を施して混合解除された動画像データを得るステップを有する
受信方法。
【請求項１９】
第１のフレームレートの第１の動画像データを符号化して得られたビデオストリームを含むコンテナを受信する受信部と、
上記ビデオストリームを復号化して上記第１のフレームレートの第１の動画像データを得る復号化処理と、上記第１の動画像データを構成する各フレームの画像データのうち上記第１のフレームレートより低い第２のフレームレートに対応したフレームの画像データに周辺フレームの画像データを混合する処理を施して上記第２のフレームレートの第２の動画像データを得るレート変換処理を制御する制御部を備える
受信装置。
【請求項２０】
上記レート変換処理では、上記第２のフレームレートに対応したフレームの画像データに上記周辺フレームの画像データがデータレベルに応じた混合割合で混合される
請求項１９に記載の受信装置。